(57)【要約】【課題】斜め下方からでも表示面の全面が見え、かつ取付けの省スペース化を図ることが可能なバスの行先表示装置を提供する。【解決手段】各ＬＥＤ表示素子２の光軸Ｌを、基板１に対して下方に傾斜させた状態で取付け、各ＬＥＤ表示素子２の光軸Ｌが表示窓１２を斜め下方に横切るようにする。利用者が斜め下方から見ても、表示面の輝度低下がなく、明るさが良好で、しかも表示面の前面をみることができる。またこのとき、基板１は、表示窓１２とは略平行に配置する。そのため、ケーシング１１の奥行き方向における基板１の設置スペースは増大せず、コンパクトに構成することができる。【選択図】　　図２
2004037684.tif 000002
【特許請求の範囲】
【請求項１】
表示窓（１２）を備えたケーシング（１１）と、複数の表示素子（２）が配列された基板（１）とを有して成り、表示窓（１２）の背部の位置において該表示窓（１２）と略平行に基板（１）を配置して成る表示装置において、上記各表示素子（２）は、その光軸（Ｌ）が上記基板（１）に対して傾斜状態で取付けられ、上記各表示素子（２）の光軸（Ｌ）が表示窓（１２）を斜めに横切るように構成したことを特徴とする表示装置。
【請求項２】
上記表示素子（２）がＬＥＤ表示素子であることを特徴とする請求項１の表示装置。
【請求項３】
上記各ＬＥＤ表示素子（２）の光軸（Ｌ）が、表示窓（１２）を斜め下方へと横切るように構成し、これをバスの行先表示に使用することを特徴とする請求項２の表示装置。
【発明の詳細な説明】
【０００１】
【発明の属する技術分野】
この発明は、表示装置に関するものであって、特にバスの行先表示装置等に好適な表示装置に関するものである。
【０００２】
【従来の技術】
従来の表示装置について、図３に基づいて説明すると、図において、３１は基板であって、この基板３１に複数のＬＥＤ表示素子３２が配列されている。各ＬＥＤ表示素子３２は、その光軸Ｌが上記基板３１と略垂直となる状態で取付けられている。また上記各ＬＥＤ表示素子３２の上部には、その光軸Ｌと略平行に延びるルーバー３３が、各ＬＥＤ表示素子３２の取付部３３ａと一体的に形成されている。このルーバー３３は、直射日光で表示が見づらくなるのを防止するため設けらたものである。そして図４に示すように、上記基板３１は、ケーシング４１に設けた表示窓４２の背部において、表示窓４２と略平行になるように配置されている。すなわち、ケーシング４１内において、ＬＥＤ表示素子３２の表示面が透明な表示窓４２に対抗し、その光軸Ｌが表示窓４２を垂直に横切るように配置されている。
【０００３】
【発明が解決しようとする課題】
ところで、このような表示装置をバスの行先表示装置に用いた場合、指向特性のあるＬＥＤ表示素子の光の向きがバスの前方向であるため、乗客が下斜め方向から行先表示を見上げると、表示面を認識し難く、また場合によっては、表示面輝度が低下し、表面が暗く見える状態となる。
【０００４】
これを改善するため、図５に示すように、基板３３を斜めに取付け、表示面を下方向に傾けてＬＥＤの光軸Ｌを下斜め方向にする対策が採られている。こうすれば、斜め下方向から見上げる乗客には表示面が見易くなる。しかし、この場合、表示面を下方向に傾けることで、基板３１の取付け箇所で余分な取付けスペースが必要となる。すなわち図４の場合には、Ｘ寸法であったものが、図５の場合には、Ｘ＋Ｙ寸法というように、余分なスペースを要することになるのである。また、表示面が下方向に傾いているため、乗客が表示装置に近づいた状態で、例えば角度αという大きな角度で見上げると、表示面の下部領域に配置されたＬＥＤ表示素子３２の一部が隠れてしまい、表示面の一部が見えなくなってしまうという問題が生じる。
【０００５】
この発明は、上記した従来の欠点を解決するためになされたものであって、その目的は、斜め方向からでも表示面の全面が見え、かつ取付けの省スペース化を図れる表示装置を提供することにある。
【０００６】
【課題を解決するための手段】
そこで請求項１の表示装置は、表示窓１２を備えたケーシング１１と、複数の表示素子２が配列された基板１とを有して成り、表示窓１２の背部の位置において該表示窓１２と略平行に基板１を配置して成る表示装置において、上記各表示素子２は、その光軸Ｌが上記基板１に対して傾斜状態で取付けられ、上記各表示素子２の光軸Ｌが表示窓１２を斜めに横切るように構成したことを特徴としている。
【０００７】
上記請求項１の表示装置においては、各表示素子２の光軸Ｌを、基板１に対して傾斜させた状態で取付けており、各表示素子２の光軸Ｌが表示窓１２を斜めに横切るようにしているので、利用者は、斜め方向からでも表示面を認識し易くなる。また基板１は、表示窓１２とは略平行に配置されているので、基板１を傾斜させる場合のようにスペースは増大しない。
【０００８】
また請求項２の表示装置は、上記表示素子２がＬＥＤ表示素子であることを特徴としている。
【０００９】
上記請求項２におけるＬＥＤ表示素子２は、指向特性のある表示素子であるため、上記請求項１の作用、効果が顕著に現れる。
【００１０】
請求項３の表示装置は、上記各ＬＥＤ表示素子２の光軸Ｌが、表示窓１２を斜め下方へと横切るように構成し、これをバスの行先表示に使用することを特徴としている。
【００１１】
請求項３のように、比較的高所に配置され、利用者が斜め下方から見る頻度の高いバスの行先表示装置に適用する場合には、一段と効果的である。
【００１２】
【発明の実施の形態】
次にこの発明の表示装置をバスの行先表示装置に適用した場合の具体的な実施の形態について図面を参照しつつ詳細に説明する。
【００１３】
まず図２において、１１はケーシング（一部のみを図示）であって、その前面には透明な表示窓１２が形成されている。このケーシング１１は、バスの正面上部の位置に取付けられるものである。そしてケーシング１１の内部において、表示窓１２の背部には、基板１が、上記表示窓１２と略平行に配設されている。この基板１には、上記表示窓１２に臨んで、複数のＬＥＤ表示素子２が配列され、これら各ＬＥＤ表示素子２によって表示面が構成されている。ここで特徴的な点は、各ＬＥＤ表示素子２が、基板１に対して、斜め下方に傾斜した状態で取付けられていることである。すなわち、各ＬＥＤ表示素子２の光軸Ｌが、表示窓１２を斜め下方に横切るように構成されている。また、図１及び図２に示すように、各ＬＥＤ表示素子２の上部には、その光軸Ｌと略平行に延びるルーバー３が設けられている。これらルーバー３は、直射日光で表示が見づらくなるのを防止するため設けられたものであって、各ＬＥＤ表示素子２を取付けるための取付け部３ａと一体的に形成されている。そして上記取付け部３ａを貫通して延びる各ＬＥＤ表示素子２の端子４が上記基板１に電気的に接続されている。
【００１４】
上記したバスの行先表示装置においては、各ＬＥＤ表示素子２の光軸Ｌを、基板１に対して下方に傾斜させた状態で取付けており、各ＬＥＤ表示素子２の光軸Ｌが表示窓１２を斜め下方に横切るようにしているので、利用者が斜め下方から見ても、表示面の輝度低下がなく、明るさが良好で、しかも表示面の前面をみることができる。この結果、利用者は、斜め下方からでも表示面に表示されたバスの行先を容易、かつ確実に認識することが可能となる。また基板１は、表示窓１２とは略平行に配置されているので、ケーシング１１の奥行き方向における基板１の設置スペースは、図４の場合と同様にＸ寸法でよく、基板１を傾斜させる場合（図５）のようにスペースは増大せず、コンパクトに構成することができる。
【００１５】
以上にこの発明の表示装置の具体的な実施の形態について説明したが、この発明の表示装置は上記実施の形態に限られるものではなく、種々変更して実施することが可能である。例えば上記においては、表示素子としてＬＥＤ表示素子を使用したものを例に挙げたが、これ以外にも以下のようなものを表示素子として使用する場合もある。すなわち、複数の光ファイバの一方端部を所定配列して画像入力部を形成すると共に、各光ファイバの他端部を所定配列して画像出力部を形成し、画像入力部に投射された画像を画像出力部で表示するように構成した表示装置において、それぞれの光ファイバの画像出力部を、それぞれ表示素子として構成するような場合である。また上記においては、光軸Ｌを斜め下方に傾斜させる例を示しているが、バスの行先表示装置以外のものに適用する場合には、斜め側方、斜め上方等の傾斜方向は用途に応じて適宜選択し得るものである。
【００１６】
【発明の効果】
上記請求項１の表示装置においては、各表示素子の光軸を、基板に対して傾斜させた状態で取付けており、各表示素子の光軸が表示窓を斜めに横切るようにしているので、利用者は、斜め方向からでも表示面を認識し易くなる。また基板は、表示窓とは略平行に配置されているので、基板を傾斜させる場合のようにスペースは増大しない。この結果、斜め方向からでも表示全面が見え、かつ取付けの省スペース化を図ることが可能となる。
【００１７】
またＬＥＤ表示素子は、指向特性のある表示素子であるため、請求項２のようにＬＥＤ表示素子を用いる場合には、上記請求項１の作用、効果が顕著に現れる。
【００１８】
請求項３のように、比較的高所に配置され、利用者が斜め下方から見る頻度の高いバスの行先表示装置に適用する場合には、一段と効果的である。
【図面の簡単な説明】
【図１】この発明の表示装置の実施形態におけるＬＥＤ表示素子の取付状態を示す拡大側面図ある。
【図２】上記表示装置の実施形態を示す側面図ある。
【図３】従来の表示装置におけるＬＥＤ表示素子の取付状態を示す拡大側面図ある。
【図４】上記従来装置を示す側面図ある。
【図５】他の従来装置を示す側面図ある。
【符号の説明】
１　基板
２　表示素子（ＬＥＤ表示素子）
１１　ケーシング
１２　表示窓
【図１】
2004037684.tif 000003
【図２】
2004037684.tif 000004
【図３】
2004037684.tif 000005
【図４】
2004037684.tif 000006
【図５】
2004037684.tif 000007